(57)【特許請求の範囲】
【請求項１】
予め定めた特定の符号則で符号化された光信号を送信する送信手段と、
この送信手段から送られてきた光信号を信号“０”を含んだ電気信号に変換する光・電気変換手段と、障害を検知する障害検知手段と、障害に対応して所定の時定数よりも短い周期に所定の個数以上“０”が連続しないように“０”と“１”が周期的に変化するパルス信号を発生するパルス出力回路と、前記障害検知手段が障害を検知しないときは前記光・電気変換手段が変換した後の電気信号を選択し、障害を検知したときは前記パルス出力回路が発生させたパルス信号を選択する選択手段と、この選択手段の出力を前記特定の符号則に従って復号化する復号化手段の存在する後段回路部分にＡＣ結合コンデンサを介して接続された信号線路に送出する選択信号送出手段とを備えた受信手段とを備え、
前記パルス出力回路は、前記ＡＣ結合コンデンサと終端回路で定まる前記所定の時定数よりも短い周期に所定の個数以上“０”が連続しないように“０”と“１”が周期的に変化するパルス信号を発生し、このパルス信号によって前記受信手段の検出した前記障害を表わす異常情報が前記ＡＣ結合コンデンサを介して接続された信号線路を使って前記受信手段に伝えられることを特徴とする光通信システム。
【請求項２】
前記障害検知手段は、前記送信手段から光信号が送出されないことを検出する光信号検出手段を具備することを特徴とする請求項１記載の光通信システム。
【請求項３】
前記障害検知手段は、前記受信手段内の障害を検出する内部障害検出手段を具備することを特徴とする請求項１記載の光通信システム。
【請求項４】
前記障害検知手段は、複数の障害を検出し、前記パルス出力回路はこれらそれぞれの障害に対応した種類のパルス信号を発生させることを特徴とする請求項１記載の光通信システム。
【請求項５】
前記後段回路部分は、前記パルス信号を検出するパルス信号検出手段と、このパルス信号検出手段が前記パルス信号を検出したとき前記復号化手段の復号化したデータの出力を禁止するデータ出力禁止手段を具備することを特徴とする請求項１記載の光通信システム。
【請求項６】
前記後段回路部分は、前記パルス信号を検出するパルス信号検出手段を備え、このパルス信号検出手段は、前記それぞれの障害に対応した種類のパルス信号を検出する手段であり、検出したパルス信号に対応する障害内容を通知する障害通知手段が更に具備されていることを特徴とする請求項４記載の光通信システム。
【発明の詳細な説明】
【技術分野】
【０００１】
本発明は、コンピュータ、交換機あるいは一般の通信装置で適用される光通信システムに係わり、特に光信号の受信等のエラーまたは障害が発生したときに対処可能な光通信システムに関する。
【背景技術】
【０００２】
光ファイバを用いて光信号を送受信する光通信システムでは、受信側で光信号を電気信号に変換して、電気回路を用いた必要な処理を行うようになっている（たとえば特許文献１参照）。このような光通信システムでは、受信側で電気信号に変換後の信号が有効なものであるか、無効なものであるかを判断する必要がある。送信側が送信データを正常に光信号として送信しても、伝送路に障害が発生してこれが受信側に伝送されない場合もあるし、送信側の障害で光信号がもともと送信されていない場合もある。
【０００３】
図６は、従来の光通信システムの要部を表わしたものである。この光通信システム１００で送信側の電気・光変換部１０１から出力される光信号１０２は、光伝送路１０３を介して受信側に伝送され、その光・電気変換部１０４に入力されるようになっている。光・電気変換部１０４には、光信号１０２を電気信号に変換する光・電気変換回路１０５と、光信号１０２の検出を行う光信号検出回路１０６が並列に設けられている。
【０００４】
このうち光信号検出回路１０６は、光信号１０２の入力を検出する回路である。光信号検出回路１０６は光信号１０２を検出すると、光検出信号１０７を光・電気変換部１０４の後段に配置された受信部１０８内の判定回路１０９に入力するようになっている。光・電気変換部１０４の光・電気変換回路１０５から出力されるデータ１１１はＡＣ結合コンデンサ１１２を介して受信部１０８内の判定回路１０９に入力される。判定回路１０９は、光検出信号１０７をイネーブル信号として、これが入力されているときにのみデータ１１１を有効であると判別し、これを受信データ１１３として出力するようになっている。
【０００５】
このように、図６に示した光通信システムでは、送信側の電気・光変換部１０１が故障して無効なデータが受信側に送られるようなエラーまたは障害（以下、単に障害という。）が発生した場合に、判定回路１０９がこれを判定して受信データ１１３を出力しないようにしている。しかしながら、この従来の光通信システムでは、１つの光・電気変換部１０４が複数系統の光信号を扱う並列型の構成の場合、それぞれの光信号ごとに光信号検出回路１０６や判定回路１０９を設ける必要がある。このため、受信部１０８の取り扱う信号数が増大する。一般に受信部１０８はＬＳＩ（Large Scale Integration）で構成するために、その信号ピンの数が増加するという問題がある。
【０００６】
そこで、１つの光・電気変換部１０４が複数系統の光信号を扱う並列型の構成の場合には、各々の光信号検出回路１０６が出力する光検出信号１０７の論理積をとるアンド回路を配置することが提案されている。この提案では、すべての光検出信号１０７が同時に検出されているときにのみ光検出信号１０７を有効に扱う。これにより、受信部１０８に入力する信号ピンの数の増大を避けることができる。
【０００７】
しかしながら、論理積をとることで判定回路１０９に入力する光検出信号１０７の数を減少させるようにすると、複数系統の光信号の有効、無効を独立して取り扱う要請があるときにこれを満足させることができない。そこで、光・電気変換部１０４内にスケルチ回路を用いることで、受信部１０８内から判定回路１０９を除去することが従来から行われている。
【０００８】
図７は、スケルチ回路を用いたこの光通信システムの要部を表わしたものである。この図７で図６と同一部分には同一の符号を付しており、これらの説明を適宜省略する。この光通信システム１２０では、光・電気変換部１０４Ａ内の光信号検出回路１０６の出力側にスケルチ回路１２１が配置されている。光・電気変換回路１０５の出力側にはセレクタ１２２が配置されており、光・電気変換回路１０５の出力としてのデータ１１１と“０”固定出力回路１２３から出力される“０”信号１２４の一方を選択して選択データ１２５として出力するようになっている。スケルチ回路１２１の出力が選択信号１２６としてセレクタ１２２に供給される。選択データ１２５は、ＡＣ結合コンデンサ１１２を経てデータ１２７として受信部１０８Ａに入力されるようになっている。
【０００９】
すなわち、図７に示した光通信システム１２０では、光・電気変換回路１０５に光信号１０２の入力がないとき、光信号検出回路１０６の出力側のスケルチ回路１２１がこれを検知し、その結果として、選択信号１２６によってセレクタ１２２が“０”固定出力回路１２３側を選択するようになっている。この場合、光・電気変換部１０４Ａは信号“０”の連続を選択データ１２５として出力することになる。
【００１０】
このように送信側の電気・光変換部１０１が故障して無効なデータが受信側に送られた場合に、受信部１０８Ａに選択データ１２５として信号“０”が連続的に出力されることを前提として、データの有効性を判別する技術が存在する。
【００１１】
この技術には、ＮＲＺ（Non-Return-to-Zero）信号のように信号“０”の連続が所定長以上発生することはないというデータ伝送の符号則が利用されている。すなわち、図７の受信部１０８Ａ側で“０”の連続が所定長以上発生したことを検出した場合には、光・電気変換回路１０５の入力側に光信号１０２の入力がないことを判別し、送られてきた選択データ１２５が無効であることを認識することにしていた。
【００１２】
この技術では、電気・光変換部１０１から送られてくる光信号１０２を再び有効なものとして認識するために、受信部１０８Ａが特定のデータ列を受信できたとき、送受信間でハンドシェークを行うようにしている。そして、このハンドシェークの結果、正常なデータ通信が可能なことが確認できたときに、これ以後、電気・光変換部１０１から送られてくるデータ１１１が有効とされる。
【００１３】
ところがこの技術では、図７に示した光通信システム１２０における光検出信号を省略するので、受信部の信号ピンの数の増大を避けることができるという利点がある。しかしながら、ＡＣ結合コンデンサ１１２の存在によって受信部１０８Ａが誤動作する場合があるという問題があった。
【００１４】
図８は、この誤動作の生じる様子を説明するためのものである。図７と共に説明する。図８（ａ）は、送信側の電気・光変換部１０１から出力される光信号１０２の状態を表わしたものである。時刻ｔ1から有効な光信号１０２が送出されているが、時刻ｔ2に光信号１０２が断となっている。
【００１５】
図８（ｂ）は、光・電気変換部１０４Ａから出力される選択データ１２５の様子を表わしたものである。時刻ｔ2に光信号１０２が断となると、スケルチ回路１２１が動作して、選択信号１２６によってセレクタ１２２が“０”固定出力回路１２３側を選択する。この時刻ｔ2までは、受信部１０８Ａにデータ１１１である選択データ１２５と同一のデータ１２７（同図（ｃ））が入力される。時刻ｔ2にスケルチ動作が行われてセレクタ１２２が“０”固定出力回路１２３側を選択すると、同図（ｃ）に示すようにそれ以後、信号“０”が連続的に出力される。
【００１６】
ところが、受信部１０８Ａ内の図示しない終端抵抗によって規定される時定数による“０”保証期間ＴGが経過すると、その時刻ｔ3から、ＡＣ結合コンデンサ１１２の出力側のデータ１２７の電位が不安定になる。すなわち、時刻ｔ2から時刻ｔ3までデータ１２７は信号“０”に保たれるが、それ以後は信号“０”か信号“１”かが不定な不定値データ１２８になる。この結果、時刻ｔ3以後、この不定値データ１２８が有効とみられるデータに化ける可能性があり、これによって受信部１０８Ａが誤動作を起こすおそれがあった。
【特許文献１】特開２００３−１８８８２８号公報（第００１０段落、図２）
【発明の開示】
【発明が解決しようとする課題】
【００１７】
そこで本発明の目的は、光信号が受信されなかったような何らかの障害が発生した場合に、伝送用の線路を増やすことなく後段の回路にこれを反映させることのできる光通信システムを提供することにある。
【課題を解決するための手段】
【００１８】
本発明では、光通信システムが、（イ）予め定めた特定の符号則で符号化された光信号を送信する送信手段と、（ロ）この送信手段から送られてきた光信号を信号“０”を含んだ電気信号に変換する光・電気変換手段と、障害を検知する障害検知手段と、障害に対応して所定の時定数よりも短い周期にパルス信号を繰り返し発生するパルス出力回路と、前記した障害検知手段が障害を検知しないときは前記した光・電気変換手段が変換した後の電気信号を選択し、障害を検知したときは前記したパルス出力回路が発生させたパルス信号を選択する選択手段と、この選択手段の出力を前記した特定の符号則に従って復号化する復号化手段の存在する後段回路部分にＡＣ結合コンデンサを介して接続された信号線路に送出する選択信号送出手段とを備えた受信手段とを備え、（ハ）前記したパルス出力回路は、前記したＡＣ結合コンデンサと終端回路で定まる前記した所定の時定数よりも短い周期にパルス信号を繰り返し発生し、このパルス信号によって前記した受信手段の検出した前記した障害を表わす異常情報が前記したＡＣ結合コンデンサを介して接続された信号線路を使って前記した受信手段に伝えられることを特徴としている。
【発明の効果】
【００２４】
本発明の光通信システムでは、特定の符号則で符号化された光信号以外のパルス信号は一般に複数作成することができるので、複数の障害の発生に対しても対応することができる。また、パルス信号の伝送上、“０”の連続する時間に制限を受けるシステムでも、この制限内のパルス信号のパターンを障害に対応させて用意することで、信頼性の高い通信を可能とすることができる。
【発明を実施するための最良の形態】
【００２６】
以下実施例につき本発明を詳細に説明する。
【実施例１】
【００２７】
図１は、本発明の一実施例における光通信システムの概要を表わしたものである。本実施例の光通信システム２００は、送信側の電気・光変換部２０１と、この電気・光変換部２０１から出力される光信号２０２を光伝送路２０３を介して受信する受信側の光・電気変換部２０４を備えている。光・電気変換部２０４から出力されるデータ２０５は、ＡＣ結合コンデンサ２０６を通過後にデータ２０７として受信部２０８に入力されるようになっている。
【００２８】
ここで、光・電気変換部２０４は、送信側から送られてきた光信号２０２を分岐して入力する光・電気変換回路２１１と光信号検出回路２１２を備えている。光・電気変換回路２１１は、光信号２０２を電気信号に変換する回路であり、これから出力される電気信号としてのデータ２１３は、セレクタ２１４の一方の入力となるようになっている。セレクタ２１４は、パルス出力回路２１５から出力される“０”と“１”が周期的に変化するパルス信号２１６を他方の入力としている。セレクタ２１４はこれら２つの入力のうちの一方を選択して、データ２０５として出力するようになっている。
【００２９】
光信号検出回路２１２は、光信号２０２の検出の有無を表わした光検出信号２１７を出力する。光検出信号２１７はスケルチ回路２１８に入力されるようになっている。スケルチ回路２１８の出力は、選択信号２１９としてセレクタ２１４に供給される。すなわち、スケルチ回路２１８が光信号２０２を検出していない場合には、その旨の選択信号２１９によってパルス出力回路２１５から出力されるパルス信号２１６が選択され、それ以外の場合にはデータ２１３が選択される。セレクタ２１４からは選択された側の入力がデータ２０５として出力されることになる。
【００３０】
一方、受信部２０８は、終端回路２２１と、光・電気変換部２０４から送られてきたデータ２０７を入力してシリアル・パラレル変換を行うシリアル・パラレル変換回路２２２を備えている。シリアル・パラレル変換回路２２２から出力される変換後のパラレルデータ２２３は、分岐されて復号化回路２２４とパルス検出回路２２５の双方に入力される。このうち復号化回路２２４は、符号化されているパラレルデータ２２３を復号化して、得られたデータ２２６を後段の図示しない回路に供給するようになっている。また、パルス検出回路２２５の方は、パルスを検出しないとき、パラレルデータ２２３の基となるデータ２０７が有効であるとしてデータイネーブル信号２２７を出力するようになっている。パルス検出回路２２５がパルスを検出した場合、受信したデータ２０７は無効であると判別される。この場合、データイネーブル信号２２７の出力は抑止される。
【００３１】
このような光通信システム２００では、電気・光変換部２０１から光・電気変換部２０４に光信号２０２の入力がなくなったら、セレクタ２１４からパルス信号２１６がデータ２０５として出力されることになる。このパルス信号２１６は、光信号２０２が有効なデータである場合のデータ２１３と受信部２０８側で区別して識別される。この結果、図６で示した従来技術における光・電気変換回路１０５からの光検出信号としてのデータ１１１の出力を不要としている。
【００３２】
また、この図６の光・電気変換部１０４が複数の光・電気変換回路１０５を備えている場合であっても、パルス信号２１６の種類を変えることで、これらの回路ごとに光信号の入力があったかどうかを個別に検知することができる。更に、光信号の入力がない場合には受信部２０８側で識別可能なパルス信号２１６がデータ２０５として出力されるので、無効なデータを誤って有効なデータと認識することを防止することができる。
【００３３】
本実施例の光通信システム２００では、送信側の電気・光変換部２０１から光信号２０２の入力がない場合、受信側の光・電気変換部２０４から出力されるデータ２０５は、パルス信号２１６である。したがって、受信部２０８に入力されるデータ２０７は不定値になることがない。したがって、受信部２０８は無効なデータを誤って有効なデータと認識する誤動作を発生させることはない。
【００３４】
図２は、この光通信システムにおける各部の信号の状態を表わしたものである。図１と共に説明を行う。図２（ａ）は、電気・光変換部２０１から出力される光信号２０２の状態を表わしたものである。電気・光変換部２０１では、送信の対象となる電気信号からなるデータを光信号２０２に変換して光伝送路２０３に送信する。本実施例では８Ｂ１０Ｂ符号による符号化が行われて光信号２０２が送出される。これは、８ビットのパラレルデータを１０ビットに変換してシリアルに伝送する方式である。図２（ａ）では、時刻ｔ11から時刻ｔ12まで有効データが送信され、時刻ｔ12で光信号２０２が断となっている。その後、時刻ｔ13で光信号２０２の入力が再開している。
【００３５】
同図（ｂ）は、受信側の光・電気変換部２０４から受信部２０８へ向けて送出される信号の状態を表わしている。時刻ｔ11から時刻ｔ12まで有効データが送信されてくる。光信号２０２の無しの状態で動作するスケルチ回路２１８は、光信号検出回路２１２が光信号２０２を検出した結果を基にして、セレクタ２１４に対してデータ２１３の方を選択するための選択信号２１９を出力する。これにより、時刻ｔ11から時刻ｔ12まで有効データがデータ２０５として出力されることになる。
【００３６】
時刻ｔ12になると、光信号２０２が断となるので、スケルチ回路２１８が動作する。この結果、時刻ｔ12〜時刻ｔ13までの間は、選択信号２１９によってセレクタ２１４はパルス出力回路２１５から出力されるパルス信号２１６を選択する。これによって、図２（ｂ）に示すようにパルス信号２１６がデータ２０５として光・電気変換部２０４から出力されることになる。
【００３７】
その後の時刻ｔ13になると、光信号２０２の入力が再開するので、スケルチ回路２１８の動作がオフとなる。この時点からセレクタ２１４が再び光・電気変換回路２１１の出力するデータ２１３を選択する結果、有効データがデータ２０５として光・電気変換部２０４から出力される。
【００３８】
同図（ｃ）は、受信部２０８内の復号化回路２２４から出力されるデータ２２６の様子を表わしたものであり、同図（ｄ）はデータイネーブル信号２２７の様子を表わしたものである。時刻ｔ11から時刻ｔ12までの間は、受信部２０８にデータ２０７が送られる。この基となるデータ２０５は前記したように８Ｂ１０Ｂ符号による符号化が行われた光信号２０２を電気信号に変換したものである。このアルゴリズムでは、ＡＣ結合コンデンサ２０６と終端回路２２１によって定まる時定数よりも短い所定の個数以上“０”が連続しないようになっている。具体的には、“０”や“１”の連続は、５ビット以下に制限されており、これらの一方のみが６ビット以上連続するという事態は発生しない。
【００３９】
したがって、データ２０５はＡＣ結合コンデンサ２０６による影響を受けることなく、データ２０７としてシリアル・パラレル変換回路２２２に入力される。パルス検出回路２２５は、図示しないが８Ｂ１０Ｂ符号の符号則に存在しない信号パターンを予め選定している。この信号パターンは、パルス出力回路２１５から出力されるパルス信号２１６と予め対応付けられている。たとえば、“０”が１０ビット連続して、その後に“１”が１０ビット連続する信号の繰り返しをパルス信号２１６とすることができる。このような信号であれば、伝送速度は通常の１０分の１とみなすことができ、一般に１０ビット程度の連続であれば、時定数の条件も満足する。
【００４０】
時刻ｔ11から時刻ｔ12までの間は、パルス検出回路２２５がこのパルス出力回路２１５から出力されるパルス信号２１６が検出されておらず、図２（ｄ）に示すようにデータが有効であることを示すデータイネーブル信号２２７が出力されている。したがって、同図（ｃ）に示すように、復号化回路２２４から出力されるデータ２２６は有効データとされる。
【００４１】
時刻ｔ12になると、スケルチ回路２１８が動作する。この結果、図２（ｂ）に示すようにパルス信号２１６がデータ２０５として光・電気変換部２０４から送出される。パルス信号２１６は、有効データとしての光信号２０２と同様に、ＡＣ結合コンデンサ２０６と終端回路２２１によって定まる時定数よりも短い所定の個数以上“０”が連続しないような信号パターンに取り決められている。したがって、パルス信号２１６からなるデータ２０５は、ＡＣ結合コンデンサ２０６をそのまま通過してデータ２０７として受信部２０８に入力される。受信部２０８のパルス検出回路２２５は、これをデータ無効時のパルス信号であると検出する。したがって、同図（ｄ）に示すようにデータイネーブル信号２２７は出力されず、同図（ｃ）に示すように復号化回路２２４から出力されるデータ２２６は無効とされる。
【００４２】
時刻ｔ13になると、パルス検出回路２２５はパルス信号２１６を検出することができなくなる。そこでパルス検出回路２２５は、これ以後、パラレルデータ２２３の基となるデータ２０７が有効であることを示すデータイネーブル信号２２７を出力する（同図（ｄ））。したがって、復号化回路２２４から出力されるデータ２２６は、時刻ｔ13以後、再び有効データとなる（同図（ｃ））。
【００４３】
以上説明したように本実施例によれば、受信側の光・電気変換部２０４が光信号２０２を受信しているときには、これを光・電気変換回路２１１で電気信号に変換した後のデータ２１３をデータ２０５として出力するようにする一方、光信号２０２が受信されないときにはパルス出力回路２１５から出力されるパルス信号２１６をデータ２０５として出力するようにしている。また、受信部２０８では、パルス出力回路２１５で生成したパルス信号２１６を検出することによって、受信したデータ２０７が有効であるか無効であるかを判断することにしている。これにより、従来必要とされた光・電気変換部２０４と受信部２０８の間のインタフェース信号である光検出信号を不要にできる効果がある。これによって、受信部２０８の信号検出のためのハードウェアを削減することができる。
【００４４】
また、電気・光変換部２０１からの光信号２０２の入力がない場合、光・電気変換部２０４はデータ２０５としてパルス信号２１６を出力するようにしている。このパルス信号２１６は、ＡＣ結合コンデンサ２０６と終端回路２２１によって定まる時定数よりも短い周期を持っている。したがって、受信部２０８にパルス信号２１６によるデータ２０７が正しく伝達でき、光信号２０２の入力がない場合にその状態を常に受信部２０８に伝えることができる。
【００４５】
＜発明の変形可能性＞
【００４６】
図３は、本発明の変形例における光通信システムの概要を表わしたものである。この図３で図１と同一部分には同一の符号を付しており、これらの説明を適宜省略する。この変形例の光通信システム２００Ａでは、送信側の電気・光変換部２０１から出力される光信号２０２を光伝送路２０３を介して受信する受信側の光・電気変換部２０４Ａを備えている。光・電気変換部２０４Ａから出力されるデータ２０５Ａは、ＡＣ結合コンデンサ２０６を通過後にデータ２０７Ａとして受信部２０８Ａに入力されるようになっている。
【００４７】
光・電気変換部２０４Ａは、送信側から送られてきた光信号２０２を分岐して入力する光・電気変換回路２１１と光信号検出回路２１２の他に、光信号が受信されないといった障害以外の第１の障害を検出する第１の障害検出回路３０１と、これとは異なる第２の障害を検出する第２の障害検出回路３０２を備えている。光通信システム２００Ａでは、これ以上の数の障害検出回路を備えていてもよいし、第１の障害検出回路３０１と光信号検出回路２１２のみであってもよい。光信号検出回路２１２、第１の障害検出回路３０１および第２の障害検出回路３０２の検出出力２１７、３１１、３１２は共にスケルチ回路２１８に入力される他に、パルス出力回路２１５Ａに入力されるようになっている。
【００４８】
図４は、この変形例のパルス出力回路の構成を表わしたものである。パルス出力回路２１５Ａは、３種類の検出出力２１７、３１１、３１２を入力して検出した障害の種類を判別する検出種類判別回路３２１と、この判別結果を入力してパルス信号２１６Ａを出力するパルス複数切替出力回路３２２を備えている。パルス複数切替出力回路３２２は、共に８Ｂ１０Ｂ符号の符号則に規定されていないデータ構成で互いに異なる３種類のパルス信号を、判別結果に対応させてパルス信号２１６Ａとして出力するようになっている。
【００４９】
このパルス信号２１６Ａは、先の実施例のパルス信号２１６と同様にＡＣ結合コンデンサ２０６と終端回路２２１によって定まる時定数よりも短い所定の個数以上“０”が連続しないようになっている。具体的には、“０”や“１”の連続は、５ビット以下に制限されており、これらの一方のみが６ビット以上連続するという事態は発生しない。
【００５０】
図３に戻って説明を続ける。パルス出力回路２１５Ａから出力されるパルス信号２１６Ａはセレクタ２１４の一方に入力し、他方には光・電気変換回路２１１からデータ２１３が入力される。スケルチ回路２１８は光信号検出回路２１２、第１の障害検出回路３０１および第２の障害検出回路３０２の検出出力２１７、３１１、３１２のいずれかがあったとき動作して、セレクタ２１４をパルス信号２１６Ａ側に切り替えるための選択信号２１９を出力するようになっている。これ以外の場合、すなわち検出出力２１７、３１１、３１２のいずれもスケルチ回路２１８に入力されない状態では、セレクタ２１４は光・電気変換回路２１１からのデータ２１３を選択して出力することになる。
【００５１】
このようにして光・電気変換部２０４Ａから出力されるデータ２０５Ａは、ＡＣ結合コンデンサ２０６を経てデータ２０７Ａとして受信部２０８Ａに入力される。受信部２０８Ａは、この変形例独自のパルス検出回路２２５Ａを備えている。パルス検出回路２２５Ａは、光・電気変換部２０４Ａ内のパルス出力回路２１５Ａから出力されるパルス信号２１６Ａの種類を判別することで、障害の発生およびそれらの種類を判別する。そして、データ２２６を有効なものとしてよい場合には、データが有効であることを示すデータイネーブル信号２２７を出力する。また、障害の種類を判別した判別結果信号３３１を出力する。
【００５２】
図５は、受信部における障害の発生に対処する回路部分の処理の様子を表わしたものである。この処理は、図３に示した受信部２０８Ａの制御を行う図示しないＣＰＵが、同じく図示しないＲＯＭ（Read Only Memory）等の記憶媒体に格納した制御プログラムを実行することで実現する。図３と共に説明する。
【００５３】
前記したＣＰＵはパルス検出回路２２５Ａが障害に対応したパルスのパターンに相当するデータを検出するかを監視しており、これを検出した場合には（ステップＳ４０１：Ｙ）、どの障害が発生したかを判別する（ステップＳ４０２）。これは、パルス検出回路２２５Ａがパルス出力回路２１５Ａの発生する障害別のパルスに予め対応したデータのパターンを用意しており、これとパターンマッチングを行うことで実現する。障害の種類が判別されたら、判別結果信号３３１が出力される（ステップＳ４０３）。これを基にして、その障害に対応する障害通知データが図示しないシステム管理者側に送出される（ステップＳ４０４）。この送出は、電子メール形式でシステム管理者の図示しない携帯電話機に送出するものであってもよい。もちろん、受信部２０８Ａあるいはその近傍に配置された図示しないディスプレイに障害内容を表示するものであってもよい。
【００５４】
ステップＳ４０１で障害に対応したパルスのパターンに相当するデータが検出されない状態では（Ｎ）、データイネーブル信号２２７が出力される（ステップＳ４０５）。この場合には、復号化回路２２４から出力されるデータ２２６が有効となる。
【００５５】
この変形例では、システムの管理者は、発生した障害の種類を判別することができる。また、障害内容をディスプレイや電話機等の通知手段によって把握することができるので、迅速かつ適正に復旧のための措置を採ることができる。もちろん、光通信システム２００Ａによっては判別結果信号３３１の出力を省略してもよい。
【００５６】
以上説明した実施例および変形例では、８Ｂ１０Ｂ符号の符号則を使用したが、これ以外の符号を使用してもよい。たとえば、４Ｂ５Ｂや６４Ｂ６６Ｂ等の各種の方式も適用可能である。このような場合、パルス出力回路２１５、２１５Ａは該当する符号則に規定されていないデータ構成のパルス信号を出力するようにすればよい。
【００５７】
また、実施例および変形例では光・電気変換部２０４、２０４Ａと受信部２０８、２０８Ａの間のインタフェースをＡＣ結合コンデンサ２０６によるＡＣ結合方式としたが、これ以外のものであってもよい。パルス出力回路２１５、２１５Ａで生成するパルス信号２１６、２１６Ａからなるデータ２０５、２０５Ａを正しく受信部２０８、２０８Ａへ伝達できる信号形式であればよい。
【００５８】
また、実施例および変形例では光信号２０２が存在しないときにパルス出力回路２１５、２１５Ａで生成したパルス信号２１６、２１６Ａを伝送するものとしたが、パルス信号２１６、２１６Ａに限定する必要はない。光信号２０２が存在しないときに光・電気変換部２０４、２０４Ａから出力されるデータ２０５、２０５Ａは、有効データが存在するときのデータ２０５、２０５Ａの符号則に規定されていないデータ構成の信号パターンであればよく、かつ光・電気変換部２０４、２０４Ａと受信部２０８、２０８Ａの間のインタフェースを正しく伝送できるものであればよい。
【図面の簡単な説明】
【００５９】
【図１】本発明の一実施例における光通信システムの概要を表わしたシステム構成図である。
【図２】本実施例の光通信システムにおける各部の信号の状態を表わした信号状態説明図である。
【図３】本発明の変形例における光通信システムの概要を表わしたシステム構成図である。
【図４】この変形例のパルス出力回路の構成を表わしたブロック図である。
【図５】変形例の受信部における障害の発生に対処する回路部分の処理の様子を表わした流れ図である。
【図６】従来の光通信システムにおける送信データの有効性を判別する回路部分を表わしたブロック図である。
【図７】スケルチ回路を用いた従来の光通信システムの要部を表わしたシステム構成図である。
【図８】従来の第１の提案で誤動作の生じる様子を説明するための信号状態説明図である。
【符号の説明】
【００６０】
２００、２００Ａ  光通信システム
２０１  電気・光変換部
２０２  光信号
２０４、２０４Ａ  光・電気変換部
２０５、２０５Ａ、２０７、２０７Ａ、２１３  データ
２０６  ＡＣ結合コンデンサ
２０８、２０８Ａ  受信部
２１１  光・電気変換回路
２１２  光信号検出回路
２１４  セレクタ
２１５、２１５Ａ  パルス出力回路
２１６、２１６Ａ  パルス信号
２１８  スケルチ回路
２１９  選択信号
２２１  終端回路
２２５、２２５Ａ  パルス検出回路
２２７  データイネーブル信号
３０１  第１の障害検出回路
３０２  第２の障害検出回路
３２１  検出種類判別回路
３２２  パルス複数切替出力回路
３３１  判別結果信号
【図１】
0004839895.tif 000002
【図２】
0004839895.tif 000003
【図３】
0004839895.tif 000004
【図４】
0004839895.tif 000005
【図５】
0004839895.tif 000006
【図６】
0004839895.tif 000007
【図７】
0004839895.tif 000008
【図８】
0004839895.tif 000009